(57)【特許請求の範囲】
【請求項１】
発光体を搭載した第１形態のマイクロホンと、発光体を搭載しない第２形態のマイクロホンとが接続可能なコネクタと、
前記第１形態のマイクロホンもしくは第２形態のマイクロホンのいずれが接続されたかを検知して検知信号を出力するマイク検知手段と、
前記第１形態のマイクロホンに搭載した発光体を点灯する点灯回路と、
前記検知信号に基づいて前記点灯回路を制御する制御手段と、
短絡回路と、を備え、
前記制御手段は、前記第１形態のマイクロホンの接続を示している検知信号の入力に応じて前記点灯回路を動作可能に設定し、前記第２形態のマイクロホンの接続を示している検知信号の入力に応じて前記短絡回路を動作可能に設定すること、
を特徴とするマイクロホン接続装置。
【請求項２】
前記マイク検知手段は、前記コネクタの特定の端子ピンに現われる電位情報に基づいて前記検知信号を出力すること、
を特徴とする請求項１に記載のマイクロホン接続装置。
【請求項３】
前記点灯回路は、前記特定の端子ピンをグランド接続することで前記発光体を点灯させ、前記特定の端子ピンのグランド接続を開放することで、前記発光体を消灯させること、  を特徴とする請求項２に記載のマイクロホン接続装置。
【請求項４】
ファントム電源を供給する給電回路をさらに備え、
前記点灯回路に対して前記給電回路から発光駆動電力が供給されること、
を特徴とする請求項１乃至３のいずれか１項に記載のマイクロホン接続装置。
【請求項５】
前記コネクタはさらにホット側信号線とコールド側信号線を備え、
前記マイクロホンからの音声信号は平衡出力され、
前記給電回路からの電力は、前記ホット側信号線とコールド側信号線に等しく分割されて前記マイクロホンに送られるファントム給電回路を構成していること
を特徴とする請求項４に記載のマイクロホン接続装置。
【請求項６】
前記コネクタは３本の端子ピンが備えられていること、
を特徴とする請求項５に記載されたマイクロホン接続装置。
【請求項７】
マイクロホンと、前記マイクロホンからの音声信号を受けるマイクアンプユニットとが、コネクタおよびマイクケーブルを介して接続され、前記マイクアンプユニットに備えた給電回路からマイクロホン側に、前記コネクタおよびマイクケーブルを介して直流電源を供給するマイクロホン接続装置であって、
前記マイクアンプユニットには、発光体を搭載した第１形態のマイクロホンと、発光体を搭載しない第２形態のマイクロホンとが接続可能であり、
かつ前記マイクアンプユニットには、前記第１形態のマイクロホンもしくは第２形態のマイクロホンの接続状態を、前記コネクタの特定の端子ピンに供給される前記直流電源による電位情報に基づいて検知するマイク検知手段と、
前記マイク検知手段によって第１形態のマイクロホンの接続を検知することで、前記発光体の点灯回路を動作可能に設定し、第２形態のマイクロホンの接続を検知することで、コネクタの前記特定の端子ピンをグランド接続する制御手段と、
が具備されていることを特徴とするマイクロホン接続装置。
【請求項８】
前記第１形態のマイクロホンは、コンデンサマイクロホンユニットに接続されるインピーダンス変換回路および前記発光体に対して、前記マイクアンプユニット側の給電回路から、前記インピーダンス変換回路の動作電流および発光体の発光駆動電流が供給されることを特徴とする請求項７に記載のマイクロホン接続装置。
【発明の詳細な説明】
【技術分野】
【０００１】
この発明は、発光体を備えたマイクロホンにおける発光体の点灯制御を、例えば遠隔操作により実現させるものであり、発光体を備えない既存のマイクロホンに対しても、信号の平衡出力方式を共用可能にしたマイクロホン接続装置に関する。
【背景技術】
【０００２】
例えば会議場の発言台や会議出席者の卓上にそれぞれ設置される会議用マイクロホンとして、グースネック型マイクロホンが提供されている。このグースネック型マイクロホンは、角度や高さ調節が容易になし得るフレキシブルパイプからなる首の長いスタンドアームを備えている。このスタンドアームの先端部には、マイクロホンユニットを収容したマイクロホンユニットケースが取り付けられている。
【０００３】
このグースネック型マイクロホンには、一般的に小型で軽量なコンデンサマイクロホンが用いられている。このコンデンサマイクロホンのインピーダンス変換器を動作させるために、マイクロホンの信号線を利用してマイクアンプユニット側から動作電源を得ることができるファントム給電方式が採用されている。
【０００４】
前記した会議場等に設置されるマイクロホンにおいては、会議の進行を円滑に行わせるために、マイクロホンの本体側に発光体（以下、ＬＥＤとも称呼する。）を備え、前記ＬＥＤを例えばオペレータが遠隔操作により点灯させるグースネック型マイクロホンも提供されている。このようなグースネック型マイクロホンは、音声信号の選択制御によって音声信号が取り込み可能なオン状態であることを発言者に報知する。
【０００５】
ところで、前記したＬＥＤを備えない従来からのコンデンサマイクロホンは、一般に３ピンタイプの出力コネクタを備えている。この出力コネクタにマイクケーブルが着脱可能に接続される。前記出力コネクタには、ＥＩＡＪ  ＲＣ−５２３６「音響機器用ラッチロック式丸型コネクタ」で規定されるコネクタが用いられる。
このコネクタは接地用の１番ピン、信号のホット側として用いられる２番ピン、信号のコールド側として用いられる３番ピンを備えている。このような３ピンタイプの出力コネクタは特許文献１に開示されている。
【０００６】
一方、マイクロホン本体側に前記したＬＥＤを備えるものにおいては、従来、前記した出力コネクタのピンの他にＬＥＤ制御用のピンを追加した構成のマイクロホンが提案されている。このような従来のマイクロホンは、マイクロホン本体に備えたＬＥＤの点灯制御をマイクアンプユニット側から遠隔操作により行うことができる。
【０００７】
また、前記ＬＥＤを備えないコンデンサマイクロホンと同様にＥＩＡＪ  ＲＣ−５２３６で接続可能なＬＥＤを備えたコンデンサマイクロホンも提案されている。しかし、このＬＥＤを備えたコンデンサマイクロホンは、ＬＥＤ駆動用の電圧がマイクロホンの筐体全体に掛かるように構成されている。このマイクロホンの筐体は、塗料によって絶縁されているため、通常使用時において、使用者が感電することはない。しかしながら、使用を繰り返すことで塗料がはげるなどの不具合が生じた場合、この構成のマイクロホンは、使用者を感電させる虞がある。
【先行技術文献】
【特許文献】
【０００８】
【特許文献１】特開２００５−９４５７５号公報
【発明の開示】
【発明が解決しようとする課題】
【０００９】
前記したようにマイクロホン本体側にＬＥＤを備えたマイクロホンと、ＬＥＤを備えないマイクロホンとは、通常、前記したように出力コネクタのピン数が異なる。そのため、出力コネクタの受け口も異なり、共用化が不可能である。すなわち、通常、マイクロホン本体側にＬＥＤを備えた前者のコンデンサマイクロホンと、ＬＥＤを備えない後者のコンデンサマイクロホンとを混在して利用することができない。
【００１０】
また、ＬＥＤを備えたマイクロホンの出力コネクタのピン数がＬＥＤを備えないマイクロホンと同じであったとしても、ＬＥＤ駆動用の電圧・電流がマイクロホンの筐体に加えられているため、安全性に欠けるという課題があった。
【００１１】
そこで、前者のＬＥＤを備えたマイクロホンに例えば不具合が生じた場合などにおいて、これに代えて後者のＬＥＤを備えないマイクロホンも利用できるように汎用性を持たせることは重要な課題となる。また、ＬＥＤを備えたマイクロホンであっても、ＬＥＤを備えないマイクロホンと同様のピン数でありながら、安全に利用できるマイクロホンの接続構成またはマイクロホンの接続方法が望まれている。
【００１２】
この発明は、前記した課題を解決するためになされたものであり、前者および後者のコンデンサマイクロホンの出力コネクタを、少ないピン数で共用化し、コンデンサマイクロホンの出力信号を平衡出力すると共にファントム電源を利用可能にしようとするものである。そして、マイクロホンの出力信号を受けるマイクアンプユニット側においては、前者および後者のコンデンサマイクロホンを識別して、前者のＬＥＤを備えたマイクロホンに対しては、ＬＥＤの点灯制御が可能となるモードに設定することができるマイクロホン接続装置を提供することを目的とするものである。
【課題を解決するための手段】
【００１３】
前記した課題を解決するためになされたこの発明に係るマイクロホン接続装置は、発光体を搭載した第１形態のマイクロホンと、発光体を搭載しない第２形態のマイクロホンとが接続可能なコネクタと、前記第１形態のマイクロホンもしくは第２形態のマイクロホンのいずれが接続されたかを検知して検知信号を出力するマイク検知手段と、前記第１形態のマイクロホンに搭載した発光体を点灯する点灯回路と、前記検知信号に基づいて前記点灯回路を制御する制御手段とが具備されていることを特徴とする。
【００１４】
この場合、好ましい実施の形態においては、短絡回路をさらに備え、前記制御手段は、前記第１形態のマイクロホンの接続を示している検知信号の入力に応じて前記点灯回路を動作可能に設定し、前記第２形態のマイクロホンの接続を示している検知信号の入力に応じて前記短絡回路を動作可能に設定するように構成される。
【００１５】
そして、前記マイク検知手段は、前記コネクタの特定の端子ピンに現われる電位情報に基づいて前記検知信号を出力するように構成される。
また、前記点灯回路は、前記特定の端子ピンをグランド接続することで前記発光体を点灯させ、前記特定の端子ピンのグランド接続を開放することで、前記発光体を消灯させるように構成される。
【００１６】
また、好ましい形態においては、ファントム電源を供給する給電回路をさらに備え、前記点灯回路に対して前記給電回路から発光駆動電力が供給される。
そして、前記コネクタはさらにホット側信号線とコールド側信号線を備え、前記マイクロホンからの音声信号は平衡出力され、前記給電回路からの電力は、前記ホット側信号線とコールド側信号線に等しく分割されて前記マイクロホンに送られるファントム給電回路が構成される。
加えて好ましくは、前記コネクタは３本の端子ピンが備えられる。
【００１７】
さらにこの発明に係るマイクロホン接続装置の好ましい形態は、マイクロホンと、前記マイクロホンからの音声信号を受けるマイクアンプユニットとが、コネクタおよびマイクケーブルを介して接続され、前記マイクアンプユニットに備えた給電回路からマイクロホン側に、前記コネクタおよびマイクケーブルを介して直流電源を供給するマイクロホン接続装置であって、前記マイクアンプユニットには、発光体を搭載した第１形態のマイクロホンと、発光体を搭載しない第２形態のマイクロホンとが接続可能であり、かつ前記マイクアンプユニットには、前記第１形態のマイクロホンもしくは第２形態のマイクロホンの接続状態を、前記コネクタの特定の端子ピンに供給される前記直流電源による電位情報に基づいて検知するマイク検知手段と、前記マイク検知手段によって第１形態のマイクロホンの接続を検知することで、前記発光体の点灯回路を動作可能に設定し、第２形態のマイクロホンの接続を検知することで、コネクタの前記特定の端子ピンをグランド接続する制御手段とが具備される。
【００１８】
そして、前記したマイクロホン接続装置において用いられる第１形態のマイクロホンは、コンデンサマイクロホンユニットに接続されるインピーダンス変換回路および前記発光体に対して、前記マイクアンプユニット側の給電回路から、インピーダンス変換回路の動作電流および発光体の発光駆動電流が供給される。
【発明の効果】
【００１９】
前記構成のマイクロホン接続装置は、発光体を搭載した第１形態のマイクロホン、または発光体を搭載しない第２形態のマイクロホンのいずれかの接続を、コネクタの特定の端子ピンの電位情報に基づいて検知するマイク検知手段を備える。
そして、第１形態のマイクロホンの接続を検知した場合には、発光体の点灯制御回路を動作可能に設定し、第２形態のマイクロホンの接続を検知することで、コネクタの前記特定の端子ピンをグランド接続する動作がなされる。これにより、前記した第１および第２形態のマイクロホンのそれぞれの機能に対応した適正な回路設定をすることができるマイクロホン接続装置を提供することができる。
【図面の簡単な説明】
【００２０】
【図１】この発明に係るマイクロホン接続装置に用いられる第１形態のマイクロホンを示したブロック図である。
【図２】同じく第２形態のマイクロホンを示したブロック図である。
【図３】同じくマイクロホン接続装置の一例として、マイクアンプユニットの構成を示した回路構成図である。
【図４】図１に示した第１形態のマイクロホンの具体例を示した回路構成図である。
【図５】図２に示した第２形態のマイクロホンの具体例を示した回路構成図である。
【図６】マイクロホン接続装置の一例として、マイクアンプユニットに搭載された制御手段の動作を示すフロー図である。
【発明を実施するための形態】
【００２１】
以下、この発明に係るマイクロホン接続装置について、図に示す実施の形態に基づいて説明する。
まず図１は、発光体としてＬＥＤを搭載した第１形態のマイクロホンをブロック図で示したものである。この第１形態のマイクロホン１には、マイクロホンユニットケース３内に、コンデンサマイクロホンユニット４と、回路構成部５が収容されている。
回路構成部５には、コンデンサマイクロホンユニット４のインピーダンス変換器や後述する電源供給回路等が収容されている。また、マイクロホンユニットケース３には、発光体Ｄ１として、例えばＬＥＤが配置される。ＬＥＤのアノードは前記回路構成部５における電源供給回路に接続され、カソードは出力コネクタ６の１番ピンＰ１に接続されている。
【００２２】
図１に示すマイクロホン１は、グースネック型マイクロホンを構成している。前記出力コネクタ６はグースネック型マイクロホンを構成する図示せぬスタンドアームの基端部に取り付けられている。そして、スタンドアームの先端部に取り付けられたマイクロホンユニットケース３と出力コネクタ６との間の接続線は、スタンドアーム内に収容されている。さらにマイクロホンユニットケース３は、金属製の前記スタンドアームを介して出力コネクタ６のフレームグランド端子ＦＬに接続されている。
【００２３】
図１に示す第１形態のマイクロホン１においては、出力コネクタ６の２番ピンＰ２が信号のホット側として用いられ、３番ピンＰ３が信号のコールド側として用いられている。さらに、信号のグランドラインは、出力コネクタ６のフレームグランド端子ＦＬに接続されて、信号は平衡出力されるように構成されている。
すなわち、第１形態のマイクロホン１の出力コネクタ６においては、３ピンタイプのコネクタを用いているものの、１番ピンＰ１とフレームグランド端子ＦＬを接続する既存の接続金具は取り外されて、電気的に分離されている。
【００２４】
図４は、図１に示す第１形態のマイクロホン１の回路構成を示すものである。このマイクロホン１に備えられたマイクロホンユニット４は、対向する振動板または固定極のいずれかにエレクトレット層を備えたエレクトレットコンデンサマイクロホンユニットを構成している。
そして、一方の固定極はインピーダンス変換器として機能するＦＥＴ（Ｑ１）のゲートに接続されており、他方の振動板はマイクロホン１のグランドラインに接続されている。また前記ＦＥＴ（Ｑ１）のドレインには、後述する定電圧回路より直流動作電圧が供給され、ソースにはソース抵抗Ｒ１が接続される。すなわち、ＦＥＴ（Ｑ１）はソースフォロア回路を構成している。
【００２５】
前記ＦＥＴ（Ｑ１）のソースにはカップリングコンデンサＣ１が接続されている。インピーダンス変換されたコンデンサマイクロホンユニット４からの信号はこのカップリングコンデンサＣ１を介して引き出される。この信号は第１オペアンプＯＰ１の非反転入力端子に供給される。第１オペアンプＯＰ１の出力端子には、第２オペアンプＯＰ２の入力抵抗Ｒ２が接続されており、この入力抵抗Ｒ２の他端は第２オペアンプＯＰ２の反転入力端子に接続されている。そして、第２オペアンプＯＰ２の非反転入力端子はコンデンサＣ２を介してグランド接続されている。さらに第２オペアンプＯＰ２の反転入力端子と出力端子との間には帰還抵抗Ｒ３が接続されている。
前記入力抵抗Ｒ２と帰還抵抗Ｒ３の値は等しく設定されることで、第２オペアンプＯＰ２は、電圧増幅率が−１である反転増幅器を構成している。
【００２６】
したがって、第１オペアンプＯＰ１の出力と第２オペアンプＯＰ２の出力は、前記コンデンサマイクロホンユニット４によって得られた信号を基に生成され、互いに逆相の関係（平衡出力の状態）となる。平衡出力されたそれぞれの信号は、カップリングコンデンサＣ３，Ｃ４を介してトランジスタＱ２，Ｑ３のベースにそれぞれ供給される。
【００２７】
トランジスタＱ２は、バイアス設定抵抗Ｒ４を含む第１のエミッタフォロア回路を構成している。この第１のエミッタフォロア回路の出力は、出力コネクタ６の２番ピンＰ２に、信号のホット側出力として供給される。またトランジスタＱ３は、バイアス設定抵抗Ｒ５を含む第２のエミッタフォロア回路を構成している。この第２のエミッタフォロア回路の出力は、出力コネクタ６の３番ピンＰ３に、信号のコールド側出力として供給される。
【００２８】
また、後述するマイクアンプユニット１１に備えられた給電回路からの直流電源は、信号を平衡出力する前記出力コネクタ６の２番ピンＰ２と３番ピンＰ３を介して、前記ホット側とコールド側に等しく分割されてマイクロホン側に送られる。これによりファントム給電回路が構成されている。
【００２９】
このファントム給電回路からの直流電流は、第１と第２のエミッタフォロア回路を構成するトランジスタＱ２，Ｑ３の共通接続されたコレクタに供給される。そして、共通接続されたコレクタには定電流素子Ｉｃが接続されている。また定電流素子Ｉｃとグランドラインとの間には定電圧素子Ｚ１とコンデンサＣ５が並列接続されている。これら定電圧素子Ｚ１とコンデンサＣ５は電源供給回路（定電圧回路）７を構成し、前記したＦＥＴ（Ｑ１）、第１と第２のオペアンプＯＰ１，ＯＰ２に対して駆動電圧を供給する。
【００３０】
一方、図４に示す第１形態のマイクロホンは、図１にも示したとおり、ＬＥＤ（発光体Ｄ１）を搭載している。前記ＬＥＤ（Ｄ１）のアノードは、前記した電源供給回路７に接続され、そのカソードは出力コネクタ６の１番ピンＰ１に接続されている。
【００３１】
なお、図４に示されているように、マイクロホン１の出力コネクタ６と、マイクアンプユニット１１に設けられたコネクタ１２との間は、周知の平衡シールドケーブルおよびフレームグランド端子ＦＬを結ぶ接続線によって接続されている。
このような出力コネクタ６とコネクタ１２間の接続は、マイクロホン１側からマイクアンプユニット１１に対して、マイクロホン１側からの信号を平衡出力すると共に、マイクアンプユニット１１側からマイクロホン１に対して直流電力を送る後述するファントム給電回路を構成する。
【００３２】
次に図２は、第２形態のマイクロホンをブロック図で示したものである。この第２形態のマイクロホン２も第１形態のマイクロホン同様、グースネック型マイクロホンを構成している。そして、第１形態のマイクロホン１に比較して、第２形態のマイクロホン２は発光体Ｄ１（ＬＥＤ）を搭載しておらず、他の主要な構成は第１形態のマイクロホン１と同様である。したがって、同一の機能を果たす部分を同一の符号で示し、個々の説明は省略する。
【００３３】
そして、第２形態のマイクロホン２も３ピンタイプの出力コネクタ６を用いている。しかし、フレームグランド端子ＦＬと１番ピンＰ１は既存の接続金具によって電気的に接続されている。
【００３４】
図５は、図２に示す第２形態のマイクロホン２の回路構成を示すものである。この図５に示す回路構成おいて、その主要部は図４に示した例と同様である。したがって、同一の機能を果たす部分を同一の符号で示し、個々の説明は省略する。
図５に示すように第２形態のマイクロホン２においては、出力コネクタ６の１番ピンＰ１が信号のグランドラインとして機能する。そして、マイクロホン２からの平衡出力信号は出力コネクタ６の２番ピンＰ２と３番ピンＰ３のそれぞれを介して、ホット側およびコールド側としてマイクアンプユニット１１に対して出力される。また、マイクアンプユニット１１側からは、後述するように出力コネクタ６の２番ピンＰ２と３番ピンＰ３を利用して、等しく分割した直流電力がマイクロホン２の電源供給回路７に送られる。これにより、ファントム給電回路が構成されている。
【００３５】
図３は、前記した第１形態マイクロホン１もしくは第２形態のマイクロホン２が適宜接続されるマイクロホンの接続装置、例えばマイクアンプユニット１１の構成を示すものである。このマイクアンプユニット１１にも３ピンタイプのコネクタ１２が備えられている。そして、コネクタ１２のフレームグランド端子ＦＬは、マイクアンプユニット１１の金属製のケースに接続されると共に、信号のグランドラインとしての機能も兼ねている。
【００３６】
前記コネクタ１２の２番ピンＰ２と３番ピンＰ３は、それぞれ直流カットコンデンサＣ１１，Ｃ１２を介して、差動増幅回路を構成するオペアンプＯＰ３の非反転入力端子および反転入力端子に接続されている。この構成により、第１もしくは第２形態のマイクロホンからの平衡出力信号は、オペアンプＯＰ３において演算処理（例えば減算処理）されて、出力端子Ｏｕｔにもたらされる。
また、マイクアンプユニット１１には、ファントム電源として機能する例えば４８Ｖの直流電源Ｅｏが備えられている。この直流電源Ｅｏは、６．８ＫΩの２つの抵抗Ｒ１１，Ｒ１２を介して、前記端子ピンＰ２，Ｐ３のそれぞれに送られる。
すなわち、前記直流電源Ｅｏと抵抗Ｒ１１，Ｒ１２とにより給電回路を構成している。
【００３７】
前記コネクタ１２の１番ピンＰ１は、抵抗Ｒ１３を介して端子Ｔ１に接続される。端子Ｔ１とグランドとの間には、例えば３．３Ｖのツェナー電圧特性を有する定電圧ダイオードＺ２が接続されている。この端子Ｔ１は、当該端子Ｔ１に検知信号として正電位“Ｈ”が生じた場合と、生じない場合“Ｌ”に応じて、マイクアンプユニット１１に接続されたマイクロホンの形態（前記した第１形態もしくは第２形態のマイクロホン）を検知するマイク検知手段を構成している。
【００３８】
また、前記コネクタ１２の１番ピンＰ１には、Ｐ型ＭＯＳＦＥＴ（Ｑ１１）のソースが接続されおり、ＭＯＳＦＥＴ（Ｑ１１）のドレインにはｎｐｎ型トランジスタＱ１２のコレクタが接続されている。またトランジスタＱ１２のエミッタはグランドに接続されると共に、ベースは端子Ｔ２に接続されている。
したがって、前記端子Ｔ２に正電位“Ｈ”が入力された場合と入力されない場合“Ｌ”に応じて、トランジスタＱ１２はスイッチング動作をして、Ｐ型ＭＯＳＦＥＴ（Ｑ１１）のドレインをグランドに接続するか否かを制御する。
【００３９】
さらに１番ピンＰ１とグランドとの間には、２つのバイアス抵抗とｎｐｎ型トランジスタＱ１３のコレクタおよびエミッタが接続されている。２つのバイアス抵抗の接続中点は前記ＭＯＳＦＥＴ（Ｑ１１）のゲートに接続されている。そして、前記トランジスタＱ１３のベースは端子Ｔ３に接続されている。
したがって、前記端子Ｔ３に、正電位“Ｈ”を与えた場合においては、前記ＭＯＳＦＥＴ（Ｑ１１）をオン状態に設定し得るゲートバイアスを与えることができる。
【００４０】
さらに、前記コネクタ１２の１番ピンＰ１には、Ｐ型ＭＯＳＦＥＴ（Ｑ１４）のソースが接続され、Ｑ１４のドレインはグランド接続されている。そして、１番ピンＰ１とグランドとの間には、２つのバイアス抵抗とｎｐｎ型トランジスタＱ１５のコレクタおよびエミッタが接続されている。２つのバイアス抵抗の接続中点は前記ＭＯＳＦＥＴ（Ｑ１４）のゲートに接続されている。そして、前記トランジスタＱ１５のベースは端子Ｔ４に接続されている。したがって、前記端子Ｔ４に正電位“Ｈ”が入力された場合には、前記ＭＯＳＦＥＴ（Ｑ１４）をオン状態にするゲートバイアスが与えられる。
【００４１】
前記端子Ｔ１，Ｔ２，Ｔ３，Ｔ４は前記した制御手段として機能する適宜の制御部１５に接続される。前記制御部１５はマイクロホンの接続装置に備えられていてもよく、また外部の別の装置（例えばミキサーなど）に備えられてもよい。制御部にはＣＰＵやＦＰＧＡ、ＡＳＩＣといった一般的な構成が用いられる。
【００４２】
図６は、マイクロホンの接続装置、例えばマイクアンプユニット１１に接続されたマイクロホンの形態を検知して、適切な制御を実行する動作フローを示すものである。
すなわち、前記制御部１５によって、マイクアンプユニット１１が動作状態にされた時（Ｐｏｗｅｒ  ＯＮ）には、ステップＳ１に示すように、端子Ｔ２，Ｔ３，Ｔ４は、“Ｌ”に設定される。したがって、２つのＭＯＳＦＥＴ（Ｑ１１，Ｑ１４）は、共にオフ状態にされる。
【００４３】
この状態で、ステップＳ２に示すように端子Ｔ１に出力される検知信号の電位を前記制御部１５が検知する。マイクアンプユニット１１に、図１および図４に示す第１形態のマイクロホン１が接続されている場合には、これに搭載された電源供給回路７およびＬＥＤ（Ｄ１）を介して、前記直流電源Ｅｏからの電位が端子Ｔ１に“Ｈ”として現れる。
また、マイクアンプユニット１１に図２および図５に示す第２形態のマイクロホン２が接続されている場合には、端子Ｔ１に現れる電位はグランド電位“Ｌ”となる。
【００４４】
ステップＳ３において、端子Ｔ１に電位“Ｌ”が現れた場合には、第２形態のマイクロホン２がマイクアンプユニット１１に接続されていることになる。これにより、ステップＳ４において、前記制御部１５は端子Ｔ４を“Ｈ”に設定する動作を行う。したがって、トランジスタＱ１５およびＭＯＳＦＥＴ（Ｑ１４）は共にオン状態となり、コネクタ１２の第１ピンＰ１はＭＯＳＦＥＴ（Ｑ１４）による短絡回路によりグランド接続される。
この動作設定により、図２および図５に示す第２形態のマイクロホン２の第１ピンＰ１はグランドに接続され、第２および第３ピンＰ２，Ｐ３は、信号の平衡出力ならびにファントム電源の伝送に利用されることになる。
【００４５】
一方、ステップＳ３において、端子Ｔ１に電位 “Ｈ”が現れた場合には、マイクアンプユニット１１に第１形態のマイクロホン１が接続されていることになる。これにより、前記制御部１５は、ステップＳ５に示すように、端子Ｔ３を“Ｈ”に設定する動作を行う。したがって、ＭＯＳＦＥＴ（Ｑ１１）のゲートには、ＭＯＳＦＥＴ（Ｑ１１）がオンになり得るゲートバイアスが加わり、前記ＬＥＤの点灯回路が動作可能に設定される。
【００４６】
この状態においてステップＳ６においては、前記制御部１５が端子Ｔ２を“Ｈ”または“Ｌ”に設定する動作がなされる。すなわち端子Ｔ２に“Ｈ”が入力された場合には、トランジスタＱ１２は、オン状態となる。トランジスタＱ１２がオンすることで、ＭＯＳＦＥＴ（Ｑ１１）とトランジスタＱ１２を介して、コネクタ１２の第１ピンＰ１はグランド接続される。これにより、第１形態のマイクロホン１に搭載されたＬＥＤ（Ｄ１）のカソードがグランド接続され、ＬＥＤ（Ｄ１）の点灯回路はＬＥＤ（Ｄ１）を発光状態にする。
また、端子Ｔ２に“Ｌ”が入力された場合には、トランジスタＱ１２はオフ状態となる。トランジスタＱ１２がオフすることで、ＬＥＤ（Ｄ１）のカソードはＧＮＤと切り離され、ＬＥＤ（Ｄ１）は消灯する。
【００４７】
したがって、冒頭において記述したように、発光体Ｄ１としてのＬＥＤを備えた第１形態のグースネック型マイクロホンが会議場において用いられる場合においては、前記端子Ｔ３を“Ｈ”に設定することで、ＬＥＤを点灯可能な状態にすることができる。その後、端子Ｔ２に“Ｈ”または“Ｌ”が入力されることでＬＥＤが点灯または消灯する。このとき、端子Ｔ２の制御は外部の入力装置（不図示）を介してオペレータにより行われてもよい。
【００４８】
以上説明したこの発明に係る前記した実施の形態によると、ＬＥＤを備えた第１形態のコンデンサマイクロホン１と、ＬＥＤを備えない第２形態のコンデンサマイクロホン２の出力コネクタを、少ないピン数で共用化することができる。すなわち、本実施の形態によれば、従来からあるコネクタ、例えばＥＩＡＪ  ＲＣ−５２３６のピン配置を変更することなく、第１形態もしくは第２形態のコンデンサマイクロホンを共用できる。
そして、コンデンサマイクロホンの出力信号を平衡出力すると共に、ファントム電源を利用可能にすることができる。
【００４９】
また、マイクロホンの出力信号を受けるマイクロホン接続装置側においては、コネクタの特定の端子ピン（１番ピンＰ１）に供給される直流電源Ｅｏからの電位情報に基づいて、第１形態もしくは第２形態のコンデンサマイクロホンの接続を検知することができる。これにより、マイクアンプユニット１１側においては、それぞれの形態のコンデンサマイクロホンに対応した適正な回路設定を、制御部１５の制御動作により行うことができる。そのため、従来のようにＬＥＤの制御用のピンを設ける必要がなく、従来と変わらないピン数でありながら、感電などの課題を解決した安全に使用できるマイクロホン接続装置が実現できる。
【符号の説明】
【００５０】
１    第１形態のマイクロホン
２    第２形態のマイクロホン
３    マイクロホンユニットケース
４    コンデンサマイクロホンユニット
５    回路構成部
６    コネクタ
７    電源供給回路（定電圧回路）
１１  マイクアンプユニット
１２  コネクタ
１５  制御部（制御手段）
Ｑ１  インピーダンス変換素子
Ｄ１  発光体（ＬＥＤ）
Ｅｏ  直流電源（ファントム電源）
Ｐ１，Ｐ２，Ｐ３  端子ピン
【図１】
0006440164.tif 000002
【図２】
0006440164.tif 000003
【図３】
0006440164.tif 000004
【図４】
0006440164.tif 000005
【図５】
0006440164.tif 000006
【図６】
0006440164.tif 000007